(57)【要約】      （修正有）【課題】框体の体積と重量を大幅に下げて携帯しやすくし、材料費を減らしてコストを下げ、単一の框体を使用して、書写線と縫合区を同時に描き、作業速度が速くなる型板の構造を提供する。【解決手段】型板の構造は、外枠体３、内枠体５、中枠組部品４を含む。そのうち、該外枠体は第一中空部を設置する。該内枠体は外枠体の第一中空部内に設置し、該内枠体は第二中空部を設置し、該内枠体は内板体６を設置し、該内板体は内枠体の第二中空部内に入れ込んで設置する。該中枠組部品は、外枠体と内枠体の間に入れ込んで設置する。本外枠体に中空部を設置し、該内枠体は外枠体の第一中空部内に設置し、該中枠組部品は外枠体と内枠体の間に入れ込んで設置し、板体を形成することにより、各框体の操作時、体積と重量を減らし、公知の板体もしくは実心板体の収納後の体積と重量が大きすぎて携帯が不便な欠点を排除し、更に作業速度を早め、材料費を減らし、コストを下げる。【選択図】図５
0003166419.tif 000002
【実用新案登録請求の範囲】
【請求項１】
型板の構造において、
内部に第一中空部を設置する外枠体と、
外枠体の第一中空部内に設置し、内部に第二中空部を設置する内枠体と、
外枠体と内枠体の間に入れ込んで設置する中枠組部品を含むことを特徴とする型板の構造。
【請求項２】
前記外枠体と内枠体の間に設置する中枠組部品は、少なくとも一中枠体を設置し、且つ該中枠体の内部には第三中空部を設置し、該中枠体は少なくとも一マーキング孔を設置するか、もしくは少なくとも一線孔を設置するか、もしくは少なくとも一型孔を設置し、該中枠体のマーキング孔もしくは線孔もしくは型孔は該第三中空部の周囲外側に設置し、該内枠体は内板体を設置し、また該外枠体と内枠体はそれぞれ少なくとも一マーキング孔を設置するか、もしくは少なくとも一線孔を設置するか、もしくは少なくとも一型孔を設置し、該外枠体と内枠体のマーキング孔もしくは線孔もしくは型孔は、該内板体の周囲外側に設置することを特徴とする請求項１記載の型板の構造。
【請求項３】
前記外枠体と内枠体及び中枠組部品は、透明の靭性材であることを特徴とする請求項１記載の型板の構造。
【考案の詳細な説明】
【技術分野】
【０００１】
本考案は、型板の構造に関するもので、特に操作時に框体の体積と重量を大幅に下げ、同時に公知の板体もしくは実心板体の収納後の体積と重量が大きすぎて携帯しにくい欠点を排除し、材料の浪費を減らしてコストを下げる。
【背景技術】
【０００２】
一般の型板は、図１に示すとおり、板体１０を含み、該板体１０上には数個の異なる内径１３サイズの丸枠１１を設置し、該丸枠１１には中空部１２が設置される。該板体１０の丸枠１１に設置した中空部１２によって布地上の図案と合わせやすくなり、該丸枠１１の内径１３で布地上に書写線を描く。次に該書写線の外周縁の更に大きな内径１３の丸枠１１の中空部１２で縫合区を描き、裁断しやすく、且つ縫いやすくする。更に該板体１０に数個の異なるサイズの丸枠１１を描き、使用者の要求に応じて異なるサイズの丸枠１１に交換し、該型板で異なる大小サイズの図案を描く目的を達成する。
【０００３】
該公知の型板は、異なるサイズの図案に適用する目的を達成するが、すべての丸枠１１は同一板体１０上に位置するため、操作上非常に不便で重すぎる。更に異なるサイズの丸枠１１は、すべて同一板体１０上に設置されるため、収容できる丸枠１１の数は有限で、比較的大きなサイズの丸枠１１を設置する場合、板体１０全体の体積と重量が大幅に増加し、且つ携帯及び使用するのに不便で、同時に板体１０材とコストが浪費される。他に、該板体１０の丸枠１１には内径１３の書写線が描かれるだけなので、布地に図案の書写線を描いた後，別の更に大きなサイズの丸枠１１に交換し、縫合区（即ち縫い取り分）を描かなければならないため、作業速度が遅くなり、使用が不便である。
【０００４】
また、図２、図３に示すとおり、一般業界でも数個異なる内径サイズの実心板体１５を使って布地に書写線を描く型板としている。該実心板体１５は透明材質であり、該実心板体１５異なるサイズの図案に適用する。しかしながら、該実心板体１５は外径１６が書写線を提供するだけであるため、前述の型板と同様に作業中に異なる内径サイズの実心板体１５を交換する必要があり、作業速度が遅くなり、操作が不便であるという問題がある。また該実心板体１５は実心構造であるため、重ねて収納すると、前述の型板と同様に体積が大きく、重くなり、携帯に不便で材料を浪費し、コストが上がるという欠点がある。
【０００５】
故に、如何にして上述の欠点を取り除くかが、本考案者が改善したい点である。
【先行技術文献】
【特許文献】
【０００６】
【特許文献１】特開２００４−３３８０７６号公報
【考案の概要】
【考案が解決しようとする課題】
【０００７】
解決しようとする問題点は、作業中に異なる内径サイズの実心板体を交換する必要があり、作業速度が遅くなり、操作が不便である点である。
【課題を解決するための手段】
【０００８】
本考案は、外枠体、内枠体、中枠組部品を含む。そのうち、該外枠体は第一中空部を設置する。該内枠体は外枠体の第一中空部内に設置し、該内枠体は第二中空部を設置し、該内枠体は内板体を設置し、該内板体は内枠体の第二中空部内に入れ込んで設置する。該中枠組部品は、外枠体と内枠体の間に入れ込んで設置する。本考案の外枠体に中空部を設置し、該内枠体は外枠体の第一中空部内に設置し、該中枠組部品は外枠体と内枠体の間に入れ込んで設置し、板体を形成することにより、本考案の各框体の操作時、体積と重量を減らし、同時に公知の板体もしくは実心板体の収納後の体積と重量が大きすぎて携帯が不便な欠点を排除することを最も主要な特徴とする。
すなわち本考案は下記の特徴を有する。
（１）型板の構造において、
内部に第一中空部を設置する外枠体と、
外枠体の第一中空部内に設置し、内部に第二中空部を設置する内枠体と、
外枠体と内枠体の間に入れ込んで設置する中枠組部品を含むことを特徴とする型板の構造。
（２）前記外枠体と内枠体の間に設置する中枠組部品は、少なくとも一中枠体を設置し、且つ該中枠体の内部には第三中空部を設置し、該中枠体は少なくとも一マーキング孔を設置するか、もしくは少なくとも一線孔を設置するか、もしくは少なくとも一型孔を設置し、該中枠体のマーキング孔もしくは線孔もしくは型孔は該第三中空部の周囲外側に設置し、該内枠体は内板体を設置し、また該外枠体と内枠体はそれぞれ少なくとも一マーキング孔を設置するか、もしくは少なくとも一線孔を設置するか、もしくは少なくとも一型孔を設置し、該外枠体と内枠体のマーキング孔もしくは線孔もしくは型孔は、該内板体の周囲外側に設置することを特徴とする（１）記載の型板の構造。
（３）前記外枠体と内枠体及び中枠組部品は、透明の靭性材であることを特徴とする（１）記載の型板の構造。
【考案の効果】
【０００９】
本考案の型板の構造は、框体の体積と重量を大幅に下げて携帯しやすくし、材料の浪費を減らしてコストを下げ、単一の框体を使用して、書写線と縫合区を同時に描き、作業速度が速くするという利点がある。
【図面の簡単な説明】
【００１０】
【図１】公知の立体指示図である。
【図２】第二種公知の立体指示図
【図３】第二種公知の側面指示図である。
【図４】本考案の立体分解指示図である。
【図５】本考案の立体組立指示図である。
【図６】本考案の側面指示図である。
【図７】本考案の動作前指示図である。
【図８】本考案の動作後指示図である。
【考案を実施するための形態】
【００１１】
現在の型板は、作業中、異なる丸枠もしくは実心板体を交換する必要があり、作業速度が遅くなり、操作が不便であり、且つ板体もしくは実心板体の体積と重量が大きすぎるため、携帯しにくく、材料及びコストを浪費する。このため、一種の型板の構造を提供することを本考案の目的とする。本考案の外枠体に第一中空部を設置し、該内枠体は外枠体の第一中空部内に設置し、該中枠組部品は外枠体と内枠体の間に入れ込んで設置し板体を形成することによって、本考案の各框体の操作時に体積を小さくして重量を減らし、同時に公知の板体もしくは実心板体の収納後の体積が大きすぎて重量が重すぎることに依る携帯の不便という欠点を排除し、本考案によって操作速度を早め、材料の浪費を減らし、コストを下げる目的を達成する。
【００１２】
以上の目的を達成するため、本考案は型板の構造を提供する。そのうち、
外枠体は内部に第一中空部を設置し、
内枠体は、外枠体の第一中空部内に設置し、該内枠体内には第二中空部を設置し、該内枠体は内板体を設置し、該内板体は該内枠体の第二中空部内に入れ込んで設置し、
中枠組部品は、外枠体と内枠体の間に入れ込んで設置するものである。
【００１３】
本考案の外枠体は第一中空部を設置し、該内枠体は外枠体の第一中空部内に設置し、該中枠組部品は、外枠体と内枠体の間に入れ込んで設置して板体を形成することによって、本考案の各框体を操作する時、体積を小さくして重量を減らし、同時に公知の板体もしくは実心板体の収納後の体積が大きすぎて重量が重すぎることに依る携帯の不便という欠点を排除し、本考案によって操作速度を早め、材料の浪費を減らし、コストを下げる目的を達成する。
【実施例】
【００１４】
本考案のその他の特徴と長所及びその効果を更に詳しく説明するため、以下に図と共に表示する。
【００１５】
図４、図５に示すとおり、本考案は型板の構造を提供し、以下を含む。
【００１６】
外枠体３は、内部に第一中空部３１を設置し、該外枠体３は透明材質で、又該外枠体３靭性材とする。該外枠体３は、少なくとも一マーキング孔３２を設置するか、もしくは少なくとも一線孔３３を設置するか、もしくは少なくとも一型孔３４を設置し、該外枠体３は円形框体、もしくは少なくとも三辺の多辺形框体とする。
【００１７】
内枠体５は、設於外枠体３の第一中空部３１内に設置し、該内枠体５内に第二中空部５１を設置する。該内枠体５は透明材質で、また該内枠体５は靭性材とする。該内枠体５は内板体６を設置し、該内板体６は内枠体５の第二中空部５１内に入れ込んで設置し、支えやすく携帯に便利である。該内枠体５は、少なくとも一マーキング孔３２を設置するか、もしくは少なくとも一線孔３３を設置するか、もしくは少なくとも一型孔３４を設置する。そのうち、該内枠体５のマーキング孔３２もしくは線孔３３もしくは型孔３４は、該内板体６の周囲外側に設置し、また該外枠体３のマーキング孔３２もしくは線孔３３もしくは型孔３４も該内板体６の周囲外側に設置し、該内枠体５は円形框体、もしくは少なくとも三辺の多辺形框体とする。
【００１８】
中枠組部品４は、外枠体３と内枠体５の間に入れ込んで設置する。該中枠組部品４は透明材質で、該中枠組部品４は靭性材とする。該中枠組部品４は少なくとも一中枠体４１を設置する。該中枠体４１は円形框体もしくは少なくとも三辺の多辺形框体とする。該中枠体４１内部には第三中空部４１１を設置し、該中枠体４１は少なくとも一マーキング孔３２を設置するか、もしくは少なくとも一線孔３３を設置するか、もしくは少なくとも一型孔３４を設置する。また該中枠体４１のマーキング孔３２もしくは線孔３３もしくは型孔３４は、該第三中空部４１１の周囲外側に設置する。
【００１９】
図４、図７に示すとおり、本考案の外枠体３に第一中空部３１を設置し、且つ透明材質とし、該内枠体５に第二中空部５１を設置して且つ透明材質とし、該中枠組部品４の中枠体４１に第三中空部４１１を設置して透明材質とすることにより、スピーディに布地７の図案７１と対応する框体を探し出す。図７、図８に示すとおり、各框体の内径４２２を利用して書写工具８で該外枠体３もしくは中枠体４１もしくは内枠体５の内径４２２に沿って書写線４２４を描く。次に各框体の外径４２３を書写工具８で該外枠体３もしくは中枠体４１もしくは内枠体５の外径４２３に沿ってスピーディに縫い代の縫合区４２５を描く。これらによって、スピーディな操作を達成し同時に公知作業中、異なる丸枠１１もしくは実心板体１５を交換してスピードが遅くなる欠点を改善し、本考案によって作業速度を向上させる目的を達成する。また、本考案では外枠体３と内枠体５を設置し、中枠組部品４は少なくとも一中枠体４１を設置することによって、使用者の求めに応じて異なるサイズの框体を交換し、本考案が異なるサイズ図案の適用を兼備する。
【００２０】
図５、図６に示すとおり、本考案の外枠体３に第一中空部３１を設置し、該内枠体５を外枠体３の第一中空部３１内に設置し、該中枠組部品４を外枠体３と内枠体５の間に入れ込んで設置することにより、本考案の各框体を収納する時、体積と重量を大幅に下げ、公知の板体１０もしくは実心板体１５体積が大きくなり重量が増大して携帯しにくかった欠点を改善し、本考案は材料浪費を抑え、コストを下げる効果を兼備する。
【００２１】
図４に示すとおり、本考案の外枠体３、該内枠体５、該中枠組部品４のすべてを靭性材にすることによって、本考案の各框体が壊れにくくなり、製品の寿命が伸びる。また、図４、図８に示すとおり、本考案の外枠体３に少なくとも一マーキング孔３２を設置するか、もしくは少なくとも一線孔３３を設置するか、もしくは少なくとも一型孔３４を設置する。更に該内枠体５に少なくとも一マーキング孔３２を設置するか、もしくは少なくとも一線孔３３を設置するか、もしくは少なくとも一型孔３４を設置する。更に該中枠体４１に少なくとも一マーキング孔３２を設置するか、もしくは少なくとも一線孔３３を設置するか、もしくは少なくとも一型孔３４を設置することで、本考案は布地上に定位符號７２もしくは造形記号７３を描き写す効果を備える。
【００２２】
本考案は、進歩性と実用性を兼ね備え、公知と比較してみると、
公知技術は、板体もしくは実心板体の重量と体積が非常に大きく携帯しにくく、材料の浪費とコストを増加させている。また、異なる丸枠もしくは実心板体を交換するには、それぞれ書写線と縫合区を描かなければならないため、作業速度が遅くなる。
本考案の長所として、框体の体積と重量を大幅に下げて携帯しやすくし、材料の浪費を減らしてコストを下げる。また、単一の框体を使用するため、書写線と縫合区を同時に描くことができ、作業速度が速くなる。
【符号の説明】
【００２３】
１０        板体
１１        丸枠
１２        中空部
１３        内径
１５        実心板体
１６        外径
３        外枠体
３１        第一中空部
３２        マーキング孔
３３        線孔
３４        型孔
４        中枠組部品
４１        中枠体
４１１        第三中空部
４２２        内径
４２３        外径
４２４        書写線
４２５        縫合区
５        内枠体
５１        第二中空部
６        内板体
７        布地
７１        図案
７２        定位符號
７３        造形記号
８        書写工具
【図１】
0003166419.tif 000003
【図２】
0003166419.tif 000004
【図３】
0003166419.tif 000005
【図４】
0003166419.tif 000006
【図５】
0003166419.tif 000007
【図６】
0003166419.tif 000008
【図７】
0003166419.tif 000009
【図８】
0003166419.tif 000010